(57)【要約】      （修正有）【課題】ウエストバッグや工具等重い物体を装着している場合、ズボンのベルトのバックルを解除したときに、ベルトが装着物の重みでベルトループからすり抜けたり、ベルトから装着物が落下しないベルト抜け止め装置を提供する。【解決手段】ベルト２にベルトループ３よりも小さめで、ベルト幅より大きな突起物をベルト２に固定装着し、ベルト２を外したときにベルト２が装着物の重みでベルトループ３からすり抜けようとするのを、突起物がベルトループ３に引っかかって、ベルトループ３からすり抜けないようにする。【選択図】図１
2011174212.tif 000002
【特許請求の範囲】
【請求項１】
既存のズボンのベルト（２）にウエストバッグ（４）や工具等重い物体を装着している場合に、ベルト（２）のバックルを解除するとき、ベルト（２）が装着物の重みでズボンのベルトループ（３）をすり抜け、ズボンから部分的に抜け落ちるのを本装置が作用し防止することを特徴とするベルト抜け止め装置。
【請求項２】
ベルト（２）のバックルを解除するとき、ウエストバッグ（４）の重みでベルト（２）がベルトループ（３）をすり抜けた場合でも、ウエストバッグ（４）のベルトループ（７）に本発明のベルト抜け止め装置（１）がひっかかり、これによりウエストバッグ（４）がベルト（２）からすり抜けて落下することを防止することを特徴とするベルト抜け止め装置。
【請求項３】
本発明のベルト抜け止め装置（１）は、ズボンのベルト（２）に装着した状態でも使用可能とするため、ベルト（２）の幅より広くベルトループ（３）より狭い寸法となっていることを特徴とするベルト抜け止め装置。
【請求項４】
ベルト（２）を２枚の金属もしくはプラスチック等の硬い部材で挟み、２枚の部材をネジ（ａ）で結合固定するように構築された「図１０」のベルト抜け止め装置。
【請求項５】
ベルト（２）を片側が蝶番（ｅ）となっている２枚の金属板もしくはプラスチック等の硬い部材で挟みもう一方の側にはめ込み保持されるように構築された「図１１」のベルト抜け止め装置。
【請求項６】
ベルト（２）を帯状の面ファスナー（ｇ）を利用してベルトに巻き付け固定するように構築された「図１２」のベルト抜け止め装置。
【請求項７】
ベルト（２）に「請求項４、５、６」のいずれかまたは組み合わせの固定方法で固定され、押しボタンを押すこと等により拡幅される拡幅機構部（ｈ）を持った「図１３」のベルト抜け止め装置。
【請求項８】
ベルト（２）に「請求項４、５、６」のいずれかまたは組み合わせの固定方法で固定され、回転させることにより拡幅される回転機構部（ｉ）を持った「図１４」のベルト抜け止め装置。
【請求項９】
ベルト（２）に「請求項４、５、６」のいずれかまたは組み合わせの固定方法で固定され、折りたたんだ部分を展開させることにより拡幅される展開機構部（ｊ）を持った「図１５」のベルト抜け止め装置。
【発明の詳細な説明】
【技術分野】
【０００１】  本発明は、ベルトのバックルの装着を解除した時に、ウエストバッグや工具袋等の重みで、ベルトがベルトループから抜け落ちることを阻止する装置に関する。
【発明の概要】
【発明が解決しようとする課題】
【０００２】  解決しようとする課題は、ズボンのベルトにウエストバッグや工具袋等の重い物体を装着している場合に、ベルトのバックルを解除した時に、一般のバックル式ベルトのバックル側はバックルがベルトループより大きいために、ベルトループに引っかかりすべり抜けないが、バックルがない側はなにも突起物がないため、ベルトがウエストバッグや工具袋等の重い物体に引っ張られ、ベルトループからすり抜けるという問題点があった。【０００３】  さらに、ベルトループからすり抜けたベルトから、ウエストバッグや工具袋等重い物体がバックルのない側からすり抜け落ちる、と言う問題もあった。
【課題を解決するための手段】
【０００４】  請求項１に記載のベルト抜け止め装置は、上記課題を鑑み、バックルがない側の最良の位置に突起物をもった金属、プラスチック、セラミック等の物体を装着固定することにより、ベルトのバックルを解除した時、ベルトがウエストバッグや工具袋等の重みで引っ張られベルトループからすり抜けようとするが、本発明のベルト抜け止め装置である突起物がベルトループに引っかかることにより、ベルトのベルトループからの脱落を阻止するものである。【０００５】  請求項１に記載のベルト抜け止め装置は、さらに取り扱いの簡便を計るために、ベルトに取り付け後伸縮させたり（図１３）、回転させたり（図１４）、折りたたんでいるのを拡げたり（図１５）してベルト抜け止め装置の最大寸法を変化させる機能を付けて、ベルトのベルトループからのすり抜けを阻止する方法も考えられる。【０００６】  さらに、取り付け方法も（図２、番号１）のネジ止め以外にワンタッチ固定（図１１）や面ファスナー（図１２）のような方法も考えられる。
【発明の効果】
【０００７】  本発明のベルト抜け止め装置は、ズボンのベルトにウエストバッグや工具袋等重い物体を装着している場合に、ベルトのバックルを解除したとき、ウエストバッグや工具袋等重い物体の重みでベルトがベルトループをすり抜けるのを、本発明のベルト抜け止め装置がベルトループに引っかかることによって、阻止することが可能となった。【０００８】  ベルトのバックルを解除するとき、本装置がベルトに装着しているにもかかわらず、ウエストバッグや工具袋等の重みでベルトがベルトループをすり抜けた場合でも、ウエストバッグや工具袋等のベルトループに本発明のベルト抜け止め装置がひっかかり、これによりウエストバッグや工具袋等重い物体が、ベルトからすり抜けて落下することを防止することも可能となった。【０００９】  さらに、本発明のベルト抜け止め装置の長期間にわたる実用試験の結果、ベルトのベルトループからのすり抜け防止及びウエストバッグや工具袋等重い物体のベルトからの抜け落ち防止が確認され、本発明の効果と利便性が明確となった。
【図面の簡単な説明】
【００１０】
【図１】  本発明のベルト抜け止め装置１を装着したベルト２に、ウエストバッグ４を装着し、ベルトループ３に通して、ベルト２とウエストバッグ４をズボン８に装着した図である。
【図２】  本発明のベルト抜け止め装置１を、ベルト２の最適位置への、装着図である。
【図３】  本発明のベルト抜け止め装置１のベルト２への装着拡大図である。
【図４】  本発明のベルト抜け止め装置１をベルト抜け止め装置止めネジａを用いてベルト２へ装着した正面図である。本図は、ベルト抜け止め装置１の寸法ｂがベルト２の幅ｄより大きく、ベルトループ３の内寸ｃより小さい事を示す。
【図５】  本発明のベルト抜け止め装置１の側面図である。ベルト抜け止め装置１が、ベルト抜け止め装置上板５とベルト抜け止め装置下板６を、ベルト抜け止め装置止めネジａにより、連結結合されベルト２に固着されている図である。
【図６】  ベルトのバックル９を解除したとき、本発明のベルト抜け止め装置１が未装着なため、ウエストバッグ４の重みにより、ベルト２がベルトループ３をすり抜けたため、ウエストバッグ４がベルト２から抜け落ちる状態の図である。
【図７】  ベルトのバックル９を解除したとき、本発明のベルト抜け止め装置１が未装着なため、ウエストバッグ４の重みにより、ベルト２がベルトループ３をすり抜けたため、ウエストバッグ４がベルト２から抜け落ち、落下した図である。
【図８】  ベルトのバックル９を解除したとき、ウエストバッグ４の重みによりベルト２がベルトループ３をすり抜けようとしたが、本発明のベルト抜け止め装置１が機能してベルトループ３に引っかかり、ベルト２がベルトループ３からすり抜けるのを阻止し、これによりウエストバッグ４の落下を未然に防いでいる図である。
【図９】  ベルトのバックル９を解除したとき、ウエストバッグ４の重みによりベルト２がベルトループ３をすり抜けた場合でも、ウエストバッグ４のベルトループ７にベルト抜け止め装置１がひっかかり、これによりウエストバッグ４の落下を未然に防いでいる図である。
【図１０】  本発明のベルト抜け止め装置１の分解図である。ベルト抜け止め装置１が、ベルト抜け止め装置上板５、ベルト抜け止め装置下板６、ベルト抜け止め装置止めネジａにより、構成されている図である。
【図１１】  ベルトを片側が蝶番ｅとなっている２枚の金属もしくはプラスチック等の硬い部材で挟み、もう一方の側のはめ込み保持部ｆに保持されるように構成された、本発明のベルト抜け止め装置１の固定方法の形態である。
【図１２】  ベルトを帯状の面ファスナーｇを利用してベルトに巻き付け固定するように構成された、本発明のベルト抜け止め装置１の固定方法の形態である。
【図１３】  ベルトに請求項４、５、６のいずれかまたは組み合わせの固定方法で固定され、押しボタンを押すこと等により拡幅機構部ｈを持った、ベルト抜け止め装置１の機能の形態である。
【図１４】  ベルトに請求項４、５、６のいずれかまたは組み合わせの固定方法で固定され、回転させることにより拡幅される回転機構部ｉを持った、ベルト抜け止め装置１の機能の形態である。
【図１５】  ベルトに請求項４、５、６のいずれかまたは組み合わせの固定方法で固定され、折りたたんだ部分を展開させることにより拡幅される展開機構部ｊを持った、ベルト抜け止め装置１の機能の形態である。
【発明を実施するための形態】
【実施例１】
【００１１】  以下、本発明の実施の形態を説明する。
図１に於いて、この発明の実施の形態の例を示す。【００１２】  同図に於いて、ベルト抜け止め装置１を装着したベルト２をベルトループ３に通して着用し、ウエストバッグ４をベルト２に装着した図である。【００１３】  図４に於いて、ベルト抜け止め装置の寸法ｂは、ベルトループ３にベルト２を通すことが可能なように、ベルトループの内寸ｃより小さくする。【００１４】  図４に於いて、ベルト抜け止め装置の寸法ｂはベルト幅ｄより大きいものとし、ベルト２が、装着物の重みで引き抜かれそうな場合に、ベルトループ３に引っかかってすべり抜けるのを阻止する大きさ形状とする。【００１５】  図８は、本発明のベルト抜け止め装置１がベルトループ３にひっかかり、実際に抜け止め阻止機能を達成している状況を示す。【００１６】    図９は、バックルを解除したとき、ベルト２がウエストバッグや工具袋等の重い物体の重みで引っ張られベルトループ３をすり抜けた場合でも、ウエストバッグ４のベルトループ７が本発明のベルト抜け止め装置１にひっかかり、これによりウエストバッグ４の落下を未然に防いでいる図である。
【実施例２】
【００１７】  図１１は、ベルトを片側が蝶番ｅとなっている２枚の金属もしくはプラスチック等の硬い部材で挟み、もう一方の側のはめ込み保持部ｆに保持されるように構成された、本発明のベルト抜け止め装置１の固定方法の形態である。
【実施例３】
【００１８】  図１２は、ベルトを金属もしくはプラスチック等の硬い部材と帯状の面ファスナーｇを利用してベルトに巻き付け固定するように構成された、本発明のベルト抜け止め装置１の固定方法の形態である。
【実施例４】
【００１９】  図１３は、ベルトに請求項４、５、６のいずれかまたは組み合わせの固定方法で固定され、押しボタンを押すこと等により拡幅機構部ｈを持った、ベルト抜け止め装置１の機能の形態である。
【実施例５】
【００２０】  図１４は、ベルトに請求項４、５、６のいずれかまたは組み合わせの固定方法で固定され、回転させることにより拡幅される回転機構部ｉを持った、ベルト抜け止め装置１の機能の形態である。
【実施例６】
【００２１】  図１５は、ベルトに請求項４、５、６のいずれかまたは組み合わせの固定方法で固定され、折りたたんだ部分を展開させることにより拡幅される展開機構部ｊを持った、ベルト抜け止め装置１の機能の形態である。
【産業上の利用可能性】
【００２２】  本発明のベルト抜け止め装置は、警察官、ガードマン、工事作業者、ツーリストなど、ウエストバッグや工具袋その他等の重い物体をベルトに装着して携行する人々に、利便性を寄与し、広範囲にわたって利用、普及していくものと予想される。
さらに、図面の説明にあるように構造が簡単なため、安価に製造でき、量産性にも優れ、デザイン性にも優れた製品の提供が可能であるため、あらたなファッションアイテムとして市場に定着する可能性がある。
【符号の説明】
【００２３】  １、ベルト抜け止め装置。
２、ベルト。
３、ベルトループ。
４、ウエストバッグ。
５、ベルト抜け止め装置  上板。
６、ベルト抜け止め装置  下板。
７、ウエストバッグのベルトループ。
８、ズボン
９、バックル
ａ、ベルト抜け止め装置  止めネジ。
ｂ、ベルト抜け止め装置外形寸法。
ｃ、ベルトループ幅。
ｄ，ベルト幅。
ｅ、蝶番
ｆ、はめ込み保持部
ｇ、面ファスナー部
ｈ、拡幅機構部
ｉ、回転機構部
ｊ、展開機構部
【図１】
2011174212.tif 000003
【図２】
2011174212.tif 000004
【図３】
2011174212.tif 000005
【図４】
2011174212.tif 000006
【図５】
2011174212.tif 000007
【図６】
2011174212.tif 000008
【図７】
2011174212.tif 000009
【図８】
2011174212.tif 000010
【図９】
2011174212.tif 000011
【図１０】
2011174212.tif 000012
【図１１】
2011174212.tif 000013
【図１２】
2011174212.tif 000014
【図１３】
2011174212.tif 000015
【図１４】
2011174212.tif 000016
【図１５】
2011174212.tif 000017